(57)【要約】【課題】本発明は、カメラの照影角度を使用者の必要に応じて自由に任意の角度に調節することができるカメラ付の携帯電話機を提供する。【解決手段】本発明によるカメラ付の携帯電話機は、上面には操作部が設けられ、上部には回転支持部が形成される本体と、上面には表示部及びスピーカーが設けられ、下部には前記本体の回転支持部の外側に回転可能に結合される結合部が形成されるフォルダーと、前記本体の回転支持部の内側に回転可能に結合されるカメラモジュールとからなることを特徴とする。【選択図】図４
2006042396.tif 000002
【特許請求の範囲】
【請求項１】
上面に操作部が設けられる本体と、
表示部を備えたフォルダーと、
前記フォルダーに形成され、前記フォルダーが前記本体に対して回転可能なように前記本体と前記フォルダーとを結合する結合部と、
前記本体に形成され、前記フォルダーの回転を支持するように前記結合部の側面に設けられる回転支持部と、
前記回転支持部の内側に回転可能に設けられるカメラモジュールと、
前記カメラモジュールを任意の角度で固定するように前記カメラモジュールに結合される位置固定手段と、
を有することを特徴とするカメラ付の携帯電話機。
【請求項２】
前記回転支持部は、前記結合部の外側に設けられることを特徴とする請求項１に記載のカメラ付の携帯電話機。
【請求項３】
前記カメラモジュールは、前記結合部の内側に結合されることを特徴とする請求項１に記載のカメラ付の携帯電話機。
【請求項４】
前記フォルダーが前記本体に対して回転する場合、前記カメラモジュールは、任意の回転角度で固定されていることを特徴とする請求項１に記載のカメラ付の携帯電話機。
【請求項５】
前記位置固定手段は、前記カメラモジュールと共に回転することを特徴とする請求項１に記載のカメラ付の携帯電話機。
【請求項６】
前記位置固定手段は、前記カメラモジュールの一側面に設けられることを特徴とする請求項１に記載のカメラ付の携帯電話機。
【請求項７】
前記カメラモジュールの回転軸が前記フォルダーの回転軸と異なることを特徴とする請求項１に記載のカメラ付の携帯電話機。
【発明の詳細な説明】
【技術分野】
【０００１】
本発明は、カメラ付の携帯電話機に関するもので、更に詳細にはカメラの回転角度を使用者の必要に応じて任意の角度に調節することができるカメラ付の携帯電話機に関する。
【背景技術】
【０００２】
一般に、携帯電話機は無線通信可能なセルラーホン、ＰＣＳ等を意味する。近来では、伝統的な音声通信のみならず画像通信の必要が台頭するにつれてカメラ付の携帯電話機が提案されている。
【０００３】
以下、図１を参照して従来のカメラ付の携帯電話機を説明する。
【０００４】
携帯電話機の本体１の内部にはカメラ３が作りつけ形式に固定され、通常カメラ３は本体１の上部に位置するようになる。このような携帯電話機では、カメラ３が本体１に固定されるので、使用者が被写体の位置に合わせてカメラ３の撮影角度を調整することができない。従って、カメラ３を被写体の位置に合わせるためには携帯電話機本体１自体を被写体方向に向けなければならず、この結果携帯電話機自体の位置も変わる。従って、本体１のＬＣＤ等の表示部に表示された被写体の状態を使用者が肉眼で正確に確認することができないという問題点があった。更に、携帯電話機の各種のキーの操作が不便であるという短所があった。
【０００５】
次いで、図２を参照して従来のカメラ付の携帯電話機の他の例を説明する。
【０００６】
携帯電話機本体１の上部には本体１とは別体に構成されたカメラ３ａが前後方向に回転可能なように設けられている。このような方式では、カメラ３ａを所定の角度に回転させることができるが、回転の角度が限定されているという問題点があった。更に、カメラ３ａが露出されているため、カメラ３ａが損傷または汚染されることがあった。
【０００７】
次に、図３を参照して従来のカメラ付の携帯電話機の又他の例を説明する。
【０００８】
携帯電話機本体１の上部には本体１とは別体に構成されたカメラ３ｂが横方向に移動可能なように設けられている。このような方式では、カメラ３ｂは横方向には移動可能であるが、前後方向には回転不能である。このため、被写体の位置に対応して適切にカメラ３ｂの撮影角度を調節することができないという問題点があった。また、上述した従来の携帯電話機と同様に、カメラ３ｂが露出されているため、カメラ３ｂが損傷又は汚染されることがあった。
【発明の開示】
【発明が解決しようとする課題】
【０００９】
本発明は、上記従来技術の問題点を解決するためのもので、その目的は、被写体の位置に応じてカメラの撮影角度を自由に調節することができるカメラ付の携帯電話機を提供することである。
【００１０】
本発明の他の目的は、カメラの損傷及び汚染を防止することができるカメラ付の携帯電話機を提供することである。
【課題を解決するための手段】
【００１１】
本発明のカメラ付の携帯電話機は、上面には操作部が設けられ、上部には回転支持部が形成される本体と、上面には表示部及びスピーカーが設けられ、下部には前記本体の回転支持部の外側に回転可能に結合される結合部が形成されるフォルダーと、前記本体の回転支持部の内側に回転可能に結合されるカメラモジュールとからなることを特徴とする。
【００１２】
前記カメラモジュールと前記回転支持部との間には前記カメラモジュールを所定の位置に固定する位置固定手段が設けられる。
【００１３】
前記カメラモジュールの回転中心と前記フォルダーの回転中心とは一致しない。
【００１４】
前記本体の回転支持部の外側には前記フォルダーの結合部が回転可能なように挿入されるフォルダー用の孔が形成され、前記回転支持部の内側には前記カメラモジュールが回転可能なように挿入されるカメラモジュール用の孔が形成される。
【００１５】
前記回転支持部の内部は中空であり、前記中空部には信号伝達用のフレキシブルケーブルが設けられる。
【００１６】
前記フォルダーの結合部の内部は中空であり、前記中空部には信号伝達用のフレキシブルケーブルが設けられる。
【００１７】
前記カメラモジュールは、略円筒状に構成されて３６０度回転運動可能であり、前記カメラモジュールの両側面に形成される回転軸のうち少なくとも１つは中空軸である。
【００１８】
前記位置固定手段は、前記カメラモジュールの一側面に設けられており、前記カメラモジュールとともに回転しながら弾性力を発生させる弾性部材と、前記本体の回転支持部の内側面に固定されて前記カメラモジュールの回転に際して前記弾性部材を変形させる力を発生させるブッシングとからなる。
【００１９】
前記弾性部材は、一面には突起が形成されたプレート形状である。
【００２０】
前記弾性部材は、前記カメラモジュールと一体となって回転するために、前記弾性部材の側面の所定の部位は切開され、前記カメラモジュールの一側面には前記弾性部材が挿入結合されるように前記弾性部材の形状に対応する形状の第１凹部が形成される。
【００２１】
前記第１凹部の所定の部分が更に陥没されて第２凹部が形成される。
【００２２】
前記ブッシングは、略板状の接触部と、前記接触部と一体的に形成されるボスとからなり、前記回転支持部には陥没された組立部が形成され、前記ブッシングの接触部は前記組立部に設置され、前記ボスは前記カメラモジュール用の孔に挿入結合される。
【００２３】
前記ブッシングの接触部には前記弾性部材の突起に対応する溝が形成される。
【００２４】
前記ブッシングは、前記回転支持部に固定されるようにするために、前記ブッシングの接触部の両側面の所定の部位は切開され、前記回転支持部の組立部は前記接触部の形状と略同様に形成される。
【００２５】
上記目的を達成するための本発明によるカメラ付の携帯電話機は、上面には操作部が設けられ、上部には回転支持部が形成される本体と、上面には表示部及びスピーカーが設けられ、下部には前記本体の回転支持部の外側に回転可能に結合される結合部が形成されるフォルダーと、前記本体の回転支持部の内側に回転可能に結合されるカメラモジュールとからなることを特徴とする。
【００２６】
そして、前記カメラモジュールの回転中心と前記フォルダーの回転中心とは一致しないことが好ましい。前記本体の回転支持部の外側には前記フォルダーの結合部が回転可能なように挿入されるフォルダー用の孔が形成され、前記回転支持部の内側には前記カメラモジュールが回転可能なように挿入されるカメラモジュール用の孔が形成される。この際、前記回転支持部の内部は中空であり、前記中空部には信号伝達用のフレキシブルケーブルが設けられることが好ましい。更に、前記フォルダーの結合部の内部は中空であり、前記中空部には信号伝達用のフレキシブルケーブルが設けられることが好ましい。又、前記カメラモジュールは略円筒状に構成されて３６０度回転運動可能であり、前記カメラモジュールの両側面に形成される回転軸のうち少なくとも１つは中空軸であることが好ましい。
【００２７】
本発明の他の実施例によれば、前記カメラモジュールと前記回転支持部との間には前記カメラモジュールを所定の位置に固定する位置固定手段が設けられる。前記位置固定手段は、前記カメラモジュールの一側面に設けられており、前記カメラモジュールとともに回転しながら弾性力を発生させる弾性部材と、前記本体の回転支持部の内側面に固定して前記カメラモジュールの回転に際して前記弾性部材を変形させる力を発生させるブッシングとを含む。前記弾性部材は、一面には突起が形成されたプレート形状である。更に、前記弾性部材は、前記カメラモジュールと一体となって回転するために、前記弾性部材の側面の所定の部位は切開され、前記カメラモジュールの一側面には前記弾性部材が挿入結合されるように前記弾性部材の形状に対応する形状の第１凹部が形成されることが好ましい。又、前記第１凹部の所定の部分が更に陥没されて第２凹部が形成されることがより好ましい。
【００２８】
一方、前記ブッシングは、ほぼ板状の接触部と、前記接触部と一体的に形成されるボスとから構成され、前記回転支持部には陥没された組立部が形成され、前記ブッシングの接触部は前記組立部に設置され、前記ボスは前記カメラモジュール用の孔に挿入結合される。更に、前記ブッシングの接触部には前記弾性部材の突起に対応する溝が形成されることが好ましい。そして、前記ブッシングは、前記回転支持部に固定されるようにするために、前記ブッシングの接触部の両側面の所定の部位は切開され、前記回転支持部の組立部は前記接触部の形状と同様に形成されることが好ましい。
【００２９】
よって、本発明では、被写体の位置に応じてカメラの撮影角度を自由自在に調節することができ、又カメラの損傷及び汚染を防止することができる。
【発明の効果】
【００３０】
以下、上述した本発明によるカメラ付の携帯電話機の効果を図８、図９を参照して説明する。
【００３１】
一つ、本発明によれば、カメラが本体に対して相対的に回転運動可能なので、画像通話或いは一般撮影モードで被写体の方向に応じて自由自在にカメラモジュールの撮影角度を調節することができる。従って、携帯電話機の使用の便宜性が向上するという利点がある。更に、一般なデジタルカメラのような被写体撮影モードでもカメラモジュールをフォルダーの開閉方向と同方向に被写体に向かって回転させることができるので、表示部をビューファインダーの役割として被写体の撮影構図を確認しつつ撮影することができる。
【００３２】
二つ、本発明によれば、カメラモジュールは本体の回転支持部の間に位置して、カメラモジュールの左右側面がすべて本体に支持される。従って、信頼性及び使用性に優れ、外部の衝撃等に安定的である。
【００３３】
三つ、本発明によれば、携帯電話機を使用しない場合には、カメラモジュールの透明窓が外部に露出されないように所望の角度に回転させて携帯することができる。従って、カメラモジュールのウィンドウが損傷またはスクラッチされて画質が汚染される現象を防止することができる。
【発明を実施するための最良の形態】
【００３４】
以下、上記目的を具体的に実現可能な本発明の好適な実施例を添付の図面を参照して説明する。
【００３５】
図４乃至図６を参照して本発明によるカメラ付の携帯電話機を説明する。
【００３６】
本発明による携帯電話機は、本体１０と、前記本体１０に回転可能に結合されるフォルダー２０と、前記本体１０に回転運動可能に設けられるカメラモジュール３０とから構成される。
【００３７】
次に、各々の構成要素について説明する。
【００３８】
本体１０の上面には操作部１２が設けられ、上部にはフォルダー２０及びカメラモジュール３０が回転可能なように支持される回転支持部１４が形成される。そして、フォルダー２０の上面にはＬＣＤ等の表示部２２及びスピーカー２４が設けられ、下部には本体１０の回転支持部１４に回転可能なように結合される結合部２６が形成される。そして、カメラモジュール３０の両側面には回転軸３２がそれぞれ形成される。ここで、回転支持部１４、結合部２６、そしてカメラモジュール３０の回転軸３２はそれぞれ一対に形成されることが好ましい。一方、フォルダー２０は本体１０の回転支持部１４の外側に回転可能なように結合され、カメラモジュール３０は内側、つまり前記回転支持部１４の間で回転可能なように結合される。図５に示すように、フォルダー２０の回転中心Ａとカメラモジュール３０の回転中心Ｂとは互いに一致しないことが好ましい。なぜならば、一般的に要求されるフォルダー２０の回転角度とカメラモジュール３０の回転角度とが相違することがあるからである。従って、フォルダー２０及びカメラモジュール３０は本体１０に対して自由自在に回転運動可能である。カメラモジュール３０は本体１０の回転支持部１４を中心として３６０度回転可能なので、被写体の位置に応じて使用者がカメラモジュール３０の撮影角度を適切に調節することができる。
【００３９】
次に、携帯電話機本体１０、フォルダー２０、カメラモジュール３０、そしてこれらの結合構造を詳細に説明する。
【００４０】
まず、フォルダー２０について説明する。上述したように、フォルダー２０の下部には一対の結合部２６が形成される。一対の結合部２６の内部は中空部２４であることが好ましい。そして、一対の結合部２６のうち少なくとも何れか一つの結合部２６にはフォルダを開閉するためのヒンジエレメント２６ａが設けられ、他の一つの結合部２６の中空部２４はケーブルの連結される通路の役割を果たすことが好ましい。すなわち、前記中空部２４は、表示部２２と本体１０との間で連結される信号伝達用のフレキシブルケーブル５２の設置される空間になる。
【００４１】
次いで、カメラモジュール３０を説明する。カメラモジュール３０の内部には映像信号を取り入れるイメージセンサ３４が設けられ、前記イメージセンサ３４には映像信号を本体１０のメーン基板に伝達するフレキシブルケーブル５４が連結される。勿論、カメラモジュール３０の外面には透明窓３６が設けられる。カメラモジュール３０は略円筒状に構成されて３６０度回転可能なようにすることが好ましい。カメラモジュール３０の両側面に形成される回転軸３２のうち少なくとも１つは中空軸であり、前記中空軸を介してイメージセンサ３４に連結されたフレキシブルケーブル５４が本体１０のメーン基板に連結されるようにすることが好ましい。
【００４２】
次いで、本体１０を説明する。上述したように、本体１０の上部には一対の回転支持部１４が形成され、前記回転支持部１４は本体１０に対して平行又は所定の角度に形成される。すなわち、回転支持部１４の回転軸は本体１０の上面に対して上方又は下方に位置する。そして、前記回転支持部１４の外側面には前記結合部２６、正確にはヒンジエレメント２６ａの回転軸が回転可能なように挿入結合される結合部用の孔１６が形成され、内側面には前記カメラモジュール３０の回転軸３２が挿入結合されるカメラモジュール用の孔１８が形成される。又、回転支持部１４の内部を中空として前記回転支持部１４の内部に所定の幅Ｗ１、Ｗ２の空間を形成して、信号伝達用のフレキシブルケーブル５２、５４をこの空間を介して本体１０のメーン基板に連結することが好ましい。
【００４３】
一方、カメラモジュール３０が容易に回転したり、勝手に回転したりすると好ましくない。更に、使用者がカメラモジュール３０を任意の角度に調節する際、所望の角度で安定的に固定されるべきである。従って、カメラモジュール３０を任意の角度で固定する位置固定手段を設けることが好ましい。
【００４４】
次いで、位置固定手段を説明する。位置固定手段は、本体１０の回転支持部１４とカメラモジュール３０との間に設けられる。位置固定手段は、カメラモジュール３０に設けられ、前記カメラモジュール３０とともに回転しながら変形されて弾性力（側面保持力）を発生させる弾性部材４４と、前記本体１０の回転支持部１４の内側面に固定され、前記弾性部材４４を変形させるブッシング４２とを含む。
【００４５】
詳しく説明すれば、ブッシング４２は、ほぼ板状の接触部４１と、前記接触部４１と一体的に形成されるボス４３とから構成される。そして、回転支持部１４には陥没された組立部４１ａが形成される。前記ブッシング４２の接触部４１は前記組立部４１ａに設置され、ボス４３は前記カメラモジュール用の孔１８に挿入結合される。前記ブッシング４２は接着剤等を用いて回転支持部１４に固定してもよいが、組立の便宜性を考慮することが好ましい。これにより、ブッシング４２の接触部４１は非円形であることが好ましい。例えば、ブッシング４２の接触部４１の両側は切開され、前記回転支持部１４の組立部４１ａは切開されたブッシング４２の形状に対応する形状に構成されることが好ましい。
【００４６】
一方、弾性部材４４は略円形のプレート状であることが好ましく、弾性部材４４にはブッシング４２の方向に突出される突起４４ａが形成される。このように構成すると、弾性部材４４の突起４４ａがブッシング４２によって圧搾されて変形して側面に弾性力を発生させるので、カメラモジュール３０が勝手に回転することを防止することができる。しかし、カメラモジュール３０を所定の位置に固定することは難しい。従って、前記ブッシング４２の接触部４１の前面（弾性部材に接触する面）には前記弾性部材の突起４４ａに対応する多数の溝４２ａが形成されることが好ましい。このようにすると、弾性部材４４の突起４４ａが所定の位置の溝４２ａに挿入されると、カメラモジュール３０がその位置で堅く固定されるようになる。
【００４７】
一方、弾性部材４４はカメラモジュール３０と一体となって回転すべきである。従って、弾性部材４４を接着剤等を用いてカメラモジュール３０に固定してもよいが、組立の便宜性を勘案することが好ましい。すなわち、前記弾性部材４４は非円形のものが好ましい。例えば、図７に示すように、弾性部材４４の両側の所定の部位Ｃは切開され、カメラモジュール３０の一側面には弾性部材４４が挿入結合されるように前記弾性部材４４の形状に対応する形状の第１凹部３２ａが形成されることが好ましい。このように構成すると、前記カメラモジュール３０の回転時に弾性部材４４も一体的に回転するようになる。そして、前記第１凹部３２ａの所定の部分が更に陥没されて第２凹部３２ｂが形成される。前記第２凹部３２ｂを形成する理由は弾性部材４４の変形を可能にするためである。
【００４８】
次いで、上述した位置固定手段の動作を説明する。
【００４９】
弾性部材４４の突起４４ａがブッシング４２の溝４２ａに埋め込まれると、カメラモジュール３０が所定の位置に固定された状態である。この状態で、使用者がカメラモジュール３０を被写体の位置に合わせて所定の角度に調節しようとすると、前記カメラモジュール３０を無理やりに回転させるようになる。これにより、弾性部材４４もカメラモジュール３０と一体となって回転し、これにより弾性部材４４の突起４４ａはブッシング４２の溝４２ａから抜け出る。こうなると、弾性部材４４の突起４４ａがブッシング４２の平滑面（溝４２ａのない部分）に位置するようになって突起４４ａが圧縮される。突起４４ａが圧縮されると変形が起こり、この変形と同量の側面保持力が側面方向に発生する。この際、カメラモジュール３０の側面に形成された第２凹部３２ｂは弾性部材４４の変形に対する抵抗を無くす役割を果たす。カメラモジュール３０を続けて回転させると、弾性部材４４の突起４４ａは平滑面を介して他の溝４２ａに入ってその位置で固定される。
【００５０】
上述したように、弾性部材４４の突起４４ａがブッシング４２の溝４２ａに挿入された状態では、カメラモジュール３０が所定の位置に固定されて自分の力で回転できない。従って、回転時の所望のカメラモジュール３０の固定位置を勘案してこれに対応する位置に多数の溝４２ａを形成することが好ましい。又、弾性部材４４に形成された突起４４ａは相互対称の一対に構成することが好ましく、ブッシング４２に形成される溝４２ａもこれに対応して多数の対に構成することが好ましい。又、ブッシング４４に多数の対の溝を形成するとしても、カメラモジュール３０の使用条件に基づいて溝と隣接する溝間の角度を適切に決定することができる。
【００５１】
図６、図７は一つの設計例を示す。すなわち、弾性部材４４に一対の突起４４ａを形成し、ブッシング４２には３対の溝４２ａを形成する。又、基準溝と前方の溝間の角度（θ１）は約３０度、基準溝と後方の溝間の角度（θ２）は約１２０度を与える。従って、使用者はフォルダー２０を開けて前方（使用者方向）に３０度ほどカメラモジュール３０を回転して固定することができ、反対方向には約１２０度ほど回転させてカメラモジュール３０を固定することができる。勿論、上述したように、ブッシング４２の溝４２ａの個数並びに溝４２ａ間の角度は限定されず、適切に変更可能である。
【００５２】
以上本発明の好適な一実施例に対して説明したが、前記実施例のものに限定されるわけではなく、本発明の技術思想に基づいて種々の変形又は変更が可能である。
【図面の簡単な説明】
【００５３】
【図１】従来のカメラ付の携帯電話機を概略的に示す正面図である。
【図２】従来の他のカメラ付の携帯電話機を概略的に示す正面図である。
【図３】従来のさらに他のカメラ付の携帯電話機を概略的に示す正面図である。
【図４】本発明によるカメラ付の携帯電話機の実施例を概略的に示す分解斜視図である。
【図５】図４のＩ−Ｉ線の断面図である。
【図６】図４のカメラモジュールの組立状態を示す分解斜視図である。
【図７】図６のブッシングを示す正面図である。
【図８】本発明によるカメラ付の携帯電話機のフォルダーを閉じた状態で示す斜視図である。
【図９】本発明によるカメラ付の携帯電話機のフォルダーを開けた状態で示す斜視図である。
【符号の説明】
【００５４】
１０    本体
１２    操作部、
１４    回転支持部、
１６    フォルダー用の孔、
１８    カメラモジュール用の孔、
２０    フォルダー
２２    表示部、
２６    結合部、
２６ａ  ヒンジエレメント、
３０    カメラモジュール、
４２    ブッシング
４２ａ  溝
４４    弾性部材、
４４ａ  突起
【図１】
2006042396.tif 000003
【図２】
2006042396.tif 000004
【図３】
2006042396.tif 000005
【図４】
2006042396.tif 000006
【図５】
2006042396.tif 000007
【図６】
2006042396.tif 000008
【図７】
2006042396.tif 000009
【図８】
2006042396.tif 000010
【図９】
2006042396.tif 000011